(57)【要約】【課題】転送先として設定した電話番号からの着呼信を、転送元以外の他の内線電話機に着信させることが可能な電話交換システムを提供する。【解決手段】転送元として設定された内線電話機の電話番号と転送先として設定された携帯電話機等の電話番号とが格納されたテーブル１０３を具備する。呼制御部１０６は外線着信時にテーブル１０３を参照し、転送先として設定された電話番号から転送元として設定された内線電話機への着信呼を、転送元の内線電話機に着信させずに、他の内線電話機に転送着信させるように制御する。【選択図】図２
2011199467.tif 000002
【特許請求の範囲】
【請求項１】
それぞれダイヤルイン電話番号が設定された複数の内線電話機を有し、着信呼を予め設定された外線に転送する電話交換システムであって、
転送元として設定された内線電話機の電話番号と転送先として設定された電話番号とが格納されたテーブルと、
外線着信時に、前記テーブルを参照し、前記転送先として設定された電話番号から前記転送元として設定された内線電話機への着信呼を、前記転送元の内線電話機に着信させずに他の内線電話機に転送着信させるように制御する制御手段と、
を備えたことを特徴とする電話交換システム。
【請求項２】
前記制御手段は、前記転送先として設定された電話番号からの着信呼を、前記転送先の電話機からガイダンスを送出することにより任意の内線電話機に着信させることを特徴とする請求項１に記載の電話交換システム。
【請求項３】
前記制御手段は、前記転送先として設定された電話番号からの着信呼を、前記転送先の電話機からガイダンスを送出することにより任意の外線に転送することを特徴とする請求項１に記載の電話交換システム。
【請求項４】
前記制御手段は、前記転送先として設定された電話機の電話番号からの着信呼を、転送電話が設定されていない内線電話機に着信させることを特徴とする請求項１に記載の電話交換システム。
【発明の詳細な説明】
【技術分野】
【０００１】
本発明は、ボタン電話装置、ＰＢＸ等の電話交換システムに関し、特に、転送電話の改良に関するものである。
【背景技術】
【０００２】
従来、ボタン電話装置等において、自動的に外線転送を行う場合には、転送先の電話番号からの電話は無条件で転送先の電話番号へ転送しているため、転送先はビジーとなる。また、外出先から会社等のオフィスの内線電話機に電話した場合には、転送電話先からの着信は外線転送の対象外としても、着信先が自席の場合には外出していて応答されることはない。
【０００３】
例えば、個人の内線電話機へ着信があった場合の転送先番号に自己の携帯電話機を登録したとする。そして、外出時に転送電話を設定し、外出先で携帯電話機から会社に電話すると、転送電話が起動し、転送先が携帯電話機のためビジーとなる。つまり、一般的に転送設定先が使用中なのでビジーとなる。
【０００４】
従来、転送電話に関する技術としては、特許文献１〜５等に記載されたものがある。特許文献１には、所定の電話番号に対して通話を要求する発信元からの電話を所定の転送先電話番号に転送することが記載されている。
【０００５】
特許文献２には、エレベータ作業員が所持する電話機を作業員電話機、エレベータ利用者が利用する電話機を利用者電話機とし、中継装置は発信信号に含まれる発信元電話番号が作業員電話機の電話番号であるのか利用者電話機の電話番号であるのかを判別し、判別結果に応じて転送制御を行うことが記載されている。特許文献３には、利用者の不在情報に基づいて外線電話に対して不在応答することが記載されている。その他に特許文献４、５等に記載されたものがある。
【先行技術文献】
【特許文献】
【０００６】
【特許文献１】特開２００８−２３６２８４号公報
【特許文献２】特開２００７−１５３５８２号公報
【特許文献３】特開２００８−１１８３９１号公報
【特許文献４】特開２００８−０２２１７０号公報
【特許文献５】特開２００８−０４８２９０号公報
【発明の概要】
【発明が解決しようとする課題】
【０００７】
従来のボタン電話装置・ＰＢＸ等の電話交換システムにおいて、自動的に外線発信を行う場合、転送先の電話番号から着信があることは想定されていなかった。そのため、転送先として設定されている携帯電話機等から転送元に設定されている内線電話機への着呼信はビジーとなってしまう。
【０００８】
本発明の目的は、転送先として設定した電話番号からの着呼信を、転送電話を起動することなく、転送元以外の他の内線電話機に着信させることが可能な電話交換システムを提供することにある。
【課題を解決するための手段】
【０００９】
本発明は、転送元として設定された内線電話機の電話番号と転送先として設定された電話番号とが格納されたテーブルを有し、外線着信時にそのテーブルを参照し、転送先として設定された電話番号から転送元として設定された内線電話機への着信呼を、転送元の内線電話機に着信させずに他の内線電話機に転送着信させるように制御する。
【発明の効果】
【００１０】
本発明によれば、外線着信時に転送先として設定された電話番号から転送元として設定された内線電話機への着信呼を、転送元の内線電話機に着信させずに他の内線電話機に転送着信させることにより、従来のようにビジーになることがなく、確実にオフィス内の誰かと連絡が取れるようになる。
【図面の簡単な説明】
【００１１】
【図１】本発明に係る電話交換システムの一実施形態を示すブロック図である。
【図２】図１の動作を説明するためのフローチャートである。
【発明を実施するための形態】
【００１２】
次に、発明を実施するための形態について図面を参照して詳細に説明する。図１は本発明に係る電話交換システムの一実施形態を示すブロック図である。本発明に係る電話交換システムは、例えば、ボタン電話装置、ＰＢＸ等の構内交換機に好適に使用することが可能である。
【００１３】
図中１０１は本発明に係るキーテレホンシステム（ボタン電話システム）である。キーテレホンシステム１０１には、キーテレホン１、２、…、ｎで示すように複数の内線電話機が接続され、それぞれの内線電話機にはダイヤルイン電話番号が設定されている。本発明に係る電話交換シスムは転送電話機能を有し、自己の内線電話機に転送電話を設定することで、使用者の不在時に着信があった場合には、転送先の電話番号（携帯電話機等）に転送する。
【００１４】
システム１０１内のメモリ１０２には、転送先電話番号テーブル１０３が設けられ、転送元として設定された内線電話機の電話番号と転送先として設定された携帯電話機等の電話番号とが格納されている。例えば、キーテレホン（内線電話機）１の所有者が外出する場合にはキーテレホン１に転送電話を設定し、転送元として自己の内線電話機の電話番号を、転送先として携帯電話機等の電話番号を設定する。
【００１５】
また、ボタン電話システム１０１内には、着信の制御等を行う外線インターフェース部１０４、内線電話機の制御等を行う内線インターフェース部１０５、呼制御を行う呼制御部１０６が設けられている。なお、図中１０７はＩＳＤＮアナログＶｏＩＰ外線網（電話網）を示す。
【００１６】
次に、本実施形態の動作を図２を用いて説明する。図２は図１のシステムの動作を説明するためのフローチャートである。以下の説明では、例えば、内線電話機（キーテレホン１）の使用者が自己の内線電話機に転送電話の設定を行い、転送先として自己の携帯電話機の電話番号を設定し、外出先で転送先として設定した携帯電話機から転送元として設定した自己の内線電話機にダイヤルイン着信させたものとする。
【００１７】
まず、図２に示すように、例えば、発信者（キーテレホン１の使用者）が外出先で自己の携帯電話機から発信操作を行い、この発信操作により電話網１０７からボタン電話システム１０１に外線着信したものとする。呼制御部１０６は外線着信時に該当する転送元の内線電話機（本例ではキーテレホン１）に予め転送電話が設定されているかどうかを判定する（Ｓ１）。
【００１８】
呼制御１０６は、転送元電話番号に転送電話が設定されていない場合には（Ｓ１がＦａｌｓｅ）、通常の外線着信処理を行う。一方、転送元電話番号に転送電話が設定されている場合には（Ｓ１がＴｒｕｅ）、転送先電話番号テーブル１０３を参照して発信元電話番号の分析を行い（Ｓ２）、発信元電話番号が転送電話に設定されている転送先電話番号と一致しない場合には（Ｓ３がＦａｌｓｅ）、転送電話を起動して転送先電話番号に外線発信を行う。
【００１９】
一方、発信元電話番号が転送電話に設定されている転送先電話番号と一致する場合には（Ｓ３がＴｒｕｅ）、ボタン電話システム１０１内の在籍中のいずれかの内線電話機へ着信を行う（Ｓ４）。例えば、転送先電話番号テーブル１０３を参照して転送電話が設定されていない内線電話機（転送電話が設定されていない内線電話機には社員等が在席している可能性が高い）に外線着信を行う。転送電話が設定されていなければどの内線電話機に着信させても良い。
【００２０】
また、その場合には、発信元の携帯電話機から所定の内線番号を入力するガイダンスを送出することにより任意の内線電話機へ着信させることができる。また、発信元の携帯電話機から所定の外線番号を入力するガイダンスを送出することにより任意の外線へ更に転送することができる。
【００２１】
この結果、在席中のキーテレホン（内線電話機）が鳴動し（Ｓ５）、例えば、図１に示すキーテレホン２が鳴動し、転送先として設定されている携帯電話機等からの着信呼がビジーになることはない。つまり、外線着信時に発信元が転送先電話番号であるかを判断し、転送先電話番号である場合には、転送電話を起動せずに転送電話対象の電話機とは別の内線電話機に外線着信する。そのため、着信呼がビジーにならずに必ずオフィス内の誰かの内線電話機に着信させることが可能となる。
【００２２】
このように外線着信時に転送先として設定された電話番号から転送元の内線電話機への着信呼を、転送元の内線電話機に着信させずに、他の内線電話機に着信させるように制御することで、従来のように着信呼がビジーになることはなく、必ず別の内線電話機に着信させることが可能となる。
【００２３】
例えば、不在時の着信に対して携帯電話機等に転送電話を設定しているオフィス環境において、外出時にオフィスの誰（社員等）かと連絡を取りたいのだが、誰が在席しているのか不明の場合には、自己の内線電話機にダイヤルイン着信させることでオフィス内の他の内線電話機に転送着信させるため、必ずオフィスに在席している社員と連絡を取ることが可能となる。
【産業上の利用可能性】
【００２４】
本発明は、ボタン電話システムやＰＢＸ等の電話交換システムに好適に使用することが可能である。
【符号の説明】
【００２５】
１、２、…、ｎ  キーテレホン（内線電話機）
１０１  ボタン電話システム
１０２  メモリ
１０３  転送先電話テーブル
１０４  外線インターフェース部
１０５  内線インターフェース部
１０６  呼制御部
１０７  ＩＳＤＮアナログＶｏＩＰ外線網（電話網）
【図１】
2011199467.tif 000003
【図２】
2011199467.tif 000004